(57)【要約】【課題】ユーザが表示画面の背景画像を変更するときにメモリを効率的に使用することが可能な携帯端末を提供する。【解決手段】携帯端末は、ユーザに提示する情報を背景画面とともに表示するための表示部１４と、データを受信するための通信部４と、ユーザからの指示入力を行なうための指示入力部１２と、受信した背景画像データを格納するためのフラッシュメモリ６と、背景画像データを分割した複数の部分画像データ２２．１〜２２．ｎを格納するための登録用メモリ８と携帯端末の動作を制御するための制御部１０とを備え、制御部１０は、画面構成情報に基づいて、背景画像データ２０を分割した複数の部分画像データ２２．１〜２２．ｎのうちの少なくとも一つを複数回使用して、背景画面を再構成するための表示処理部１６とを含む。【選択図】        図１
2004357183.tif 000002
【特許請求の範囲】
【請求項１】
携帯端末であって、
ユーザに提示する情報を背景画面とともに表示するための表示手段と、
前記背景画面に対応する背景画像データを入力するための画像入力手段と、
前記ユーザからの指示入力を行なうための指示入力手段と、
前記表示手段により表示される情報に関連するデータを記憶するための記憶手段とを備え、
前記記憶手段は、
前記背景画面の画面構成情報を格納するための画面構成情報格納手段と、
前記指示入力に応じて選択された前記背景画像データを格納するための背景画像格納手段とを含み、
前記携帯端末の動作を制御するための制御手段をさらに備え、
前記制御手段は、前記画面構成情報に基づいて、前記背景画像データを分割した複数の部分画像データのうちの少なくとも一つを複数回使用して、前記背景画面を再構成するための背景画面再構成手段を含む、携帯端末。
【請求項２】
前記背景画像データは、１ファイルのデータであり、
前記画像入力手段は、前記背景画像データの受信を行なうための通信手段を含み、
前記記憶手段は、受信された前記背景画像データを格納するための保存画像格納手段をさらに含み、
前記制御手段は、
前記画面構成情報に基づいて、前記保存画像格納手段に格納された前記背景画像データを前記複数の部分画像データに分割するための画像分割手段と、
前記複数の部分画像データのそれぞれを前記背景画像格納手段の第１の所定の領域に格納するための登録処理手段とをさらに含む、請求項１記載の携帯端末。
【請求項３】
前記背景画像データは、１ファイルのデータであり、
前記画像入力手段は、前記背景画像データを少なくとも一つ格納するための脱着可能な記録媒体とデータの授受を行なうためのデータ授受手段を含み、
前記制御手段は、
前記画面構成情報に基づいて、前記指示入力に応じて前記記録媒体から読み出された前記背景画像データを前記複数の部分画像データに分割するための画像分割手段と、
前記複数の部分画像データのそれぞれを前記背景画像格納手段の第１の所定の領域に格納するための登録処理手段とをさらに含む、請求項１記載の携帯端末。
【請求項４】
前記背景画像データは、動画像を再生するための複数のフレームを含み、
前記画像分割手段は、前記画面構成情報に基づいて、前記背景画像データを分割して、前記複数のフレームを抽出し、
前記登録処理手段は、前記複数のフレームのそれぞれを第２の所定の領域に格納し、
前記制御手段は、前記第２の所定の領域を参照して、前記背景画面上の所定の位置で前記動画像を再生するための動画像再生手段をさらに含む、請求項２および３のうちいずれかに記載の携帯端末。
【請求項５】
携帯端末であって、
ユーザに提示する情報を背景枠画像とともに表示するための表示手段と、
前記背景枠画像に対応し、１ファイルのデータである背景画像データを入力するための画像入力手段と、
前記ユーザからの指示入力を行なうための指示入力手段と、
前記表示手段により表示される情報に関連するデータを記憶するための記憶手段とを備え、
前記記憶手段は、
前記背景枠画像の画面構成情報を格納するための画面構成情報格納手段と、
前記指示入力に応じて、前記背景画像データを分割した複数の部分画像データを格納するための背景画像格納手段とを含み、
前記携帯端末の動作を制御するための制御手段をさらに備え、
前記制御手段は、
前記画面構成情報に基づいて、前記背景画像データの一部を抽出して、前記複数の部分画像データに分割するための画像分割手段と、
前記複数の部分画像データと前記画面構成情報とに基づいて前記背景枠画像を再構成するための背景枠画像再構成手段とを含む、携帯端末。
【請求項６】
前記画像入力手段は、前記背景画像データの受信を行なうための通信手段を含み、
前記記憶手段は、受信された前記背景画像データを格納するための保存画像格納手段をさらに含み、
前記画像分割手段は、前記画面構成情報に基づいて、前記保存画像格納手段に格納された前記背景画像データを前記複数の部分画像データに分割し、
前記制御手段は、前記複数の部分画像データのそれぞれを前記背景画像格納手段の所定の領域に格納するための登録処理手段をさらに含む、請求項５記載の携帯端末。
【請求項７】
前記画像入力手段は、前記背景画像データを少なくとも一つ格納するための脱着可能な記録媒体とデータの授受を行なうためのデータ授受手段を含み、
前記画像分割手段は、前記画面構成情報に基づいて、前記記録媒体から読み出された前記背景画像データを前記複数の部分画像データに分割し、
前記制御手段は、前記複数の部分画像データのそれぞれを前記背景画像格納手段の所定の領域に格納するための登録処理手段をさらに含む、請求項５記載の携帯端末。
【発明の詳細な説明】
【０００１】
【発明の属する技術分野】
本発明は、情報の提示とともに背景画面の表示を行なう携帯端末の構成に関する。
【０００２】
【従来の技術】
従来、携帯電話機には、待ち受け画面の背景画像をユーザに好みに応じて、製品出荷時の画面から変更することができるものがある。
【０００３】
一方で、パーソナルコンピュータなどでは、ユーザの希望にしたがって、システムの表示画面をカスタマイズすることが可能である。たとえば、第１の従来例として、部分画像と背景画像の合成画像を製作する画像合成装置について、以下のような構成が公知である（たとえば、特許文献１参照）。すなわち、第１の従来例では、ＨＤ（Ｈａｒｄ  Ｄｉｓｋ）から読み出した部分画像と背景画像の一方（たとえば、部分画像）を拡大・縮小回路で拡大・縮小し、画像合成回路で他方（たとえば、背景画像）と合成し、ＣＲＴディスプレイで表示するものにおいて、解像度テスト用のテスト画像を発生する直線群図形発生回路と、テスト画像を一方の画像に重畳する画像重畳回路と、テスト画像を画像重畳回路へ出力するか否かを切り換える切換スイッチとを具備し、合成画像中の拡大・縮小されるテスト画像の解像度を目安とし、部分画像と背景画像の解像度の差が人の目で見て違和感のない範囲内であることを確認しつつ、拡大・縮小率を決定する画像合成装置の構成が開示されている。
【０００４】
ただ、このような処理能力や記憶容量を持つ画像合成装置を携帯端末で実装するには、非常に困難である。
【０００５】
また、画像処理を効率的に行なうために、たとえば、第２の従来例としては、画像変形処理方法について、以下のような構成が公知である（たとえば、特許文献２参照）。すなわち、第２の従来例では、多数の部分画像の形状に関するデータと、部分画像の動きに関する特徴を表わすデータを、予め所定のメモリに格納しておき、部分画像の単独または複数の組み合わせにより基本画像を作成する画像変形処理方法の構成が開示されている。
【０００６】
また、予め部分画像として分割した画像を元の画像に復元する技術として、たとえば、第３の従来例として開示されている（たとえば、特許文献３参照）。
【０００７】
【特許文献１】
特開平７−３０７４５号公報明細書
【０００８】
【特許文献２】
特開平２−３９３７９号公報明細書
【０００９】
【特許文献３】
実開平３−６６４４４号公報明細書
【００１０】
【発明が解決しようとする課題】
しかしながら、上述したような背景画像をユーザの指示にしたがって変更することについては、搭載される演算装置の処理能力が限られ、記憶容量に制限があるような携帯端末において想定されたものではない。
【００１１】
本発明は、上記問題点を解決するためになされたものであって、その目的は、ユーザが表示画面の背景画像を変更するときにメモリを効率的に使用することが可能な携帯端末を提供することである。
【００１２】
【課題を解決するための手段】
上記目的を達成するために、この発明のある局面に従うと、携帯端末であって、ユーザに提示する情報を背景画面とともに表示するための表示手段と、背景画面に対応する背景画像データを入力するための画像入力手段と、ユーザからの指示入力を行なうための指示入力手段と、表示手段により表示される情報に関連するデータを記憶するための記憶手段とを備え、記憶手段は、背景画面の画面構成情報を格納するための画面構成情報格納手段と、指示入力に応じて選択された背景画像データを格納するための背景画像格納手段とを含み、携帯端末の動作を制御するための制御手段をさらに備え、制御手段は、画面構成情報に基づいて、背景画像データを分割した複数の部分画像データのうちの少なくとも一つを複数回使用して、背景画面を再構成するための背景画面再構成手段を含む。
【００１３】
好ましくは、背景画像データは、１ファイルのデータであり、画像入力手段は、背景画像データの受信を行なうための通信手段を含み、記憶手段は、受信された背景画像データを格納するための保存画像格納手段をさらに含み、制御手段は、画面構成情報に基づいて、保存画像格納手段に格納された背景画像データを複数の部分画像データに分割するための画像分割手段と、複数の部分画像データのそれぞれを背景画像格納手段の第１の所定の領域に格納するための登録処理手段とをさらに含む。
【００１４】
好ましくは、背景画像データは、１ファイルのデータであり、画像入力手段は、背景画像データを少なくとも一つ格納するための脱着可能な記録媒体とデータの授受を行なうためのデータ授受手段を含み、制御手段は、画面構成情報に基づいて、指示入力に応じて記録媒体から読み出された背景画像データを複数の部分画像データに分割するための画像分割手段と、複数の部分画像データのそれぞれを背景画像格納手段の第１の所定の領域に格納するための登録処理手段とをさらに含む。
【００１５】
好ましくは、背景画面再構成手段は、第１の所定の領域に格納された複数の部分画像データを参照して、背景画面を再構成する。
【００１６】
好ましくは、背景画像データは、動画像を再生するための複数のフレームを含み、画像分割手段は、画面構成情報に基づいて、背景画像データを分割して、複数のフレームを抽出し、登録処理手段は、複数のフレームのそれぞれを第２の所定の領域に格納し、制御手段は、第２の所定の領域を参照して、背景画面上の所定の位置で動画像を再生するための動画像再生手段をさらに含む。
【００１７】
この発明の他の局面に従うと、携帯端末であって、ユーザに提示する情報を背景枠画像とともに表示するための表示手段と、背景枠画像に対応し、１ファイルのデータである背景画像データを入力するための画像入力手段と、ユーザからの指示入力を行なうための指示入力手段と、表示手段により表示される情報に関連するデータを記憶するための記憶手段とを備え、記憶手段は、背景枠画像の画面構成情報を格納するための画面構成情報格納手段と、指示入力に応じて、背景画像データを分割した複数の部分画像データを格納するための背景画像格納手段とを含み、携帯端末の動作を制御するための制御手段をさらに備え、制御手段は、画面構成情報に基づいて、背景画像データの一部を抽出して、複数の部分画像データに分割するための画像分割手段と、複数の部分画像データと画面構成情報とに基づいて背景枠画像を再構成するための背景枠画像再構成手段とを含む。
【００１８】
好ましくは、画像入力手段は、背景画像データの受信を行なうための通信手段を含み、記憶手段は、受信された背景画像データを格納するための保存画像格納手段をさらに含み、画像分割手段は、画面構成情報に基づいて、保存画像格納手段に格納された背景画像データを複数の部分画像データに分割し、制御手段は、複数の部分画像データのそれぞれを背景画像格納手段の所定の領域に格納するための登録処理手段をさらに含む。
【００１９】
好ましくは、画像入力手段は、背景画像データを少なくとも一つ格納するための脱着可能な記録媒体とデータの授受を行なうためのデータ授受手段を含み、画像分割手段は、画面構成情報に基づいて、記録媒体から読み出された背景画像データを複数の部分画像データに分割し、制御手段は、複数の部分画像データのそれぞれを背景画像格納手段の所定の領域に格納するための登録処理手段をさらに含む。
【００２０】
好ましくは、背景枠画像再構成手段は、所定の領域に格納された複数の部分画像データを参照して、背景枠画像を再構成する。
【００２１】
好ましくは、背景画像格納手段は、揮発的に複数の部分画像データを格納し、保存画像格納手段は、不揮発的に背景画像データを格納する。
【００２２】
【発明の実施の形態】
以下、図面を参照しつつ本発明の実施の形態について詳細に説明する。ただし、本発明の構成として、携帯電話機を例にとって説明するが、携帯電話機に特に限定されるものではない。たとえば、本発明の構成としては、ＰＤＡ（Ｐｅｒｓｏｎａｌ  Ｄｉｇｉｔａｌ  Ａｓｓｉｓｔａｎｔ）であってもよい。
【００２３】
以下の説明では、同一の構成部分には同一の符号を付してあり、それらの名称および機能も同じである。したがって、それらについて詳細な説明は繰り返さない。
【００２４】
［実施の形態１］
図１は、本発明の実施の形態１における携帯電話機１００の機能ブロック図である。
【００２５】
図１を参照して、携帯電話機１００は、ＬＣＤ（Ｌｉｑｕｉｄ  Ｃｒｙｓｔａｌ  Ｄｉｓｐｌａｙ）等によりユーザに提示する情報を背景画面とともに表示を行なうための表示部１４と、背景画面に対応する背景画像データ２０の送受信を行なうための通信部４と、背景画像データ２０を格納するための脱着が可能なメモリカード２と、メモリカード２とデータの授受を行なうためのメモリカード読み出し／書き込み部２６と、上述した背景画像データ２０を不揮発的に格納するためのフラッシュメモリ６と、背景画像データ２０を分割した複数の部分画像データ２２．１〜２２．ｎを格納するための登録用メモリ８と、ユーザがキー操作等により指示入力を行なうための指示入力部１２と、通話時にマイク２８ａから入力される音声信号とスピーカ２８ｂに出力される音声信号とを処理するための音声信号処理部２８と、携帯電話機１００の動作を制御するための制御部１０とを備える。なお、背景画像データ２０は、１ファイルのデータである。
【００２６】
そして、制御部１０は、背景画像データ２０を画面構成情報に基づいて、複数の部分画像データ２２．１〜２２．ｎに分割するための画像分割部２４と、登録用メモリ８に複数の部分画像データ２２．１〜２２．ｎを登録するための登録処理部１８と、画面構成情報に基づいて、登録された複数の部分画像データ２２．１〜２２．ｎを再構成して、画面の表示処理を行なうための表示処理部１６とを含む。
【００２７】
ここで、「画面構成情報」とは、背景画像データ２０として携帯電話機１００に許される仕様を特定するための仕様情報と、画像分割部２４が背景画像データ２０を所定の仕様で分割するための分割情報と、表示処理部１６が複数の部分画像データ２２．１〜２２．ｎを再構成するときの表示構成情報とを含む。そして、画面構成情報は、少なくともフラッシュメモリ６に格納されているが、登録用メモリ８に格納されていてもよい。あるいは、フラッシュメモリ６と別個に備えられる図示しないＲＯＭ（Ｒｅａｄ  Ｏｎｌｙ  Ｍｅｍｏｒｙ）に格納されていてもよい。
【００２８】
また、登録用メモリ８としては、特に限定されないが、高速に読み出し、書き込みが可能なメモリであればよく、たとえば、ＳＲＡＭ（Ｓｔａｔｉｃ  Ｒａｎｄｏｍ  Ａｃｃｅｓｓ  Ｍｅｍｏｒｙ）を用いることができる。そして、フラッシュメモリ６は、不揮発性のメモリであればよく、たとえば、書き換え可能な不揮発性のＲＯＭ、または、不揮発性のＲＡＭ（Ｒａｎｄｏｍ  Ａｃｃｅｓｓ  Ｍｅｍｏｒｙ）を用いることができる。
【００２９】
ユーザの選択に基づいて、通信部４を介して、ダウンロードされた、または、メモリカード２から読み込まれた背景画像データ２０は、一旦、フラッシュメモリ６に含まれるユーザデータ領域に保存される。
【００３０】
画像分割部２４は、ユーザによる指示入力に応じて背景画像データ２０に対して登録処理の選択がされると、画像構成情報に基づいて、背景画像データ２０を複数の部分画像データ２２．１〜２２．ｎに分割する。
【００３１】
登録処理部１８は、分割された複数の部分画像データ２２．１〜２２．ｎを登録用メモリ８の所定の領域に格納する。
【００３２】
表示処理部１６は、画像構成情報に基づいて、複数の部分画像データ２２．１〜２２．ｎを表示画面として再構成して、表示部１４により表示させる。
【００３３】
図２は、表示画面の背景画像に対応する複数の部分画像データ２２．１〜２２．ｎを含む登録用メモリ８の記憶領域を模式的に示した図である。
【００３４】
図２を参照して、登録用メモリ８において、背景画像格納領域３０は、複数の部分画像データ２２．１〜２２．ｎのそれぞれを格納するための部分画像格納領域３２．１〜３２．ｎを含む。そして、部分画像格納領域３２．１〜３２．ｎのそれぞれに対して、記憶領域上に所定のアドレスが割り当てられている。
【００３５】
表示処理部１６は、特定のアドレスを参照することにより、背景画像格納領域３０に含まれる複数の部分画像データ２２．１〜２２．ｎのうちの特定の部分画像データを読み出すことが可能となる。
【００３６】
［サブメニューの表示画面の変更］
次に、上述したような本発明の携帯電話機１００の構成において、実施の形態１として、ユーザによる選択に応じて、通信部４を介してダウンロードされた背景画像データ２０に基づいて、サブメニューの表示画面の背景画像の変更を例にとって説明する。
【００３７】
ここで、サブメニューは、携帯電話機１００の動作中にウィンドウを開いて作業メニューを表示部１４に呼び出すポップアップメニューを含む。
【００３８】
図３は、背景画像データ２０を複数の部分画像データ２２．１〜２２．３に分割して、サブメニューの表示画面を再構成するときの概念図である。
【００３９】
図３（ａ）は、再構成されたサブメニュー表示画面３４を示す図である。一方、図３（ｂ）は、ダウンロードされた背景画像データ２０を示す図である。
【００４０】
まず、図３（ｂ）を参照して、フラッシュメモリ６に保存される背景画像データ２０は、画面構成情報に基づいて、画像分割部２４により、タイトルを表示する上段の領域に対応する部分画像データ２２．１、規則的に使用される中段の領域に対応する部分画像データ２２．２と、サブメニューの下段の領域に対応する部分画像データ２２．３とに分割される。ここで、サブメニューの表示画面の背景画像として使用される背景画像データ２０のデータの形式および画像のサイズは、特に限定されるものではないが、本発明の実施の形態１において、データ形式は、ＧＩＦ（Ｇｒａｐｈｉｃｓ  Ｉｎｔｅｒｃｈａｎｇｅ  Ｆｏｒｍａｔ）形式で、サイズは、２０１ｄｏｔ×６２ｄｏｔが望ましい。
【００４１】
ユーザの選択に基づいて、通信部４を介して、ダウンロードされた背景画像データ２０は、フラッシュメモリ６に含まれるユーザデータ領域に保存される。
【００４２】
そして、制御部１０は、画面構成情報に含まれる仕様情報に基づいて、背景画像データ２０が、ＧＩＦ形式の画像データで、かつ、画像サイズが２０１ｄｏｔ×６２ｄｏｔである場合に、サブメニューの表示画面の背景画像として、ユーザによる登録処理のための選択を可能とする。
【００４３】
ユーザによりサブメニューの表示画面の背景画像としての登録処理のための選択に応じて、画像分割部２４は、画面構成情報に基づいて、背景画像データ２０を分割する。画面構成情報は、背景画像データ２０を所定の仕様で分割するための分割情報を含む。分割情報は、特に限定されるものではないが、たとえば、背景画像データ２０を２０１ｄｏｔ×３０ｄｏｔの部分画像データ２２．１と、２０１ｄｏｔ×２１ｄｏｔの部分画像データ２２．２と、２０１ｄｏｔ×１１ｄｏｔの部分画像データ２２．３とに分割するための情報を含む。
【００４４】
そして、登録処理部１８は、分割した部分画像データ２２．１〜２２．３をそれぞれ部分画像格納領域３２．１〜３２．３に展開する。
【００４５】
部分画像格納領域３２．１〜３２．３には、それぞれ、登録用メモリ８の記憶領域上に所定のアドレスが割り当てられている。そのため、表示処理部１６は、特定のアドレスを参照することにより、部分画像データ２２．１〜２２．３のうちのいずれかを読み出すことが可能となる。
【００４６】
背景画像データ２０がサブメニューの表示画面の背景画像として登録されると、すなわち、登録用メモリ８に部分画像データ２２．１〜２２．３が格納されると、サブメニューが表示されるときに、表示処理部１６は、画面構成情報を参照する。このとき、画面構成情報は、表示されるサブメニューに応じたメニューリストおよびメニューリストに対応づけられる行数等の表示構成情報を含む。そして、表示処理部１６は、参照したメニューリストと行数とに基づいて、登録された部分画像データ２２．１〜２２．３を再構成して、表示部１４により表示させる。
【００４７】
表示処理部１６が、サブメニューの表示画面の再構成を行なう動作は、以下の通りである。
【００４８】
まず、サブメニューが表示されるときに、表示処理部１６は、画面構成情報に含まれ、表示されるサブメニューの種類に対応するメニューリストと行数等の表示構成情報を参照する。そして、参照されたメニューリストと行数とに応じて、サブメニュー表示画面の背景画像を再構成する。
【００４９】
ここで、メニューリストと行数とは、サブメニューの表示画面の種類に応じて、対応づけられている。
【００５０】
表示するサブメニューの行数がｉ（ｉ：自然数）行である場合、表示処理部１６は、部分画像データ２２．１と部分画像データ２２．３との間に、ｉ個の部分画像データ２２．２を繰り返し再構成を行なう。
【００５１】
図３（ａ）を再び参照して、行数ｉが、たとえば、９行である場合、表示処理部１６は、部分画像データ２２．１と部分画像データ２２．３との間に、９つの部分画像データ２２．２を繰り返し使用する。そして、表示処理部１６は、９つの部分画像データ２２．２のそれぞれに対応するメニューリストを表示させてサブメニュー表示画面３４を再構成する。
【００５２】
図４は、背景画像データ２０をサブメニューの表示画面の背景画像として登録するときの動作のフローチャートである。
【００５３】
図４を参照して、まず、制御部１０は、ユーザの選択に応じて、通信部４を介して、背景画像データ２０をダウンロードする（ステップＳ１０１）。
【００５４】
つづいて、制御部１０は、フラッシュメモリ６のユーザデータ領域にダウンロードした背景画像データ２０保存する（ステップＳ１０２）。
【００５５】
そして、ユーザの指示入力部１２への操作に応じて、背景画像データ２０が選択されると、制御部１０は、選択された背景画像データ２０のデータ形式と画像サイズをチェックする（ステップＳ１０３）。
【００５６】
このとき、制御部１０は、データ形式と画像サイズ等の仕様情報に基づいて、背景画像データ２０がサブメニューの表示画面の背景画像として所定の条件に適合するか否かの判断を行なう（ステップＳ１０４）。
【００５７】
ここで、「所定の条件」とは、データ形式がＧＩＦ形式で、かつ、画像サイズが２０１ｄｏｔ×６２ｄｏｔである。
【００５８】
ステップＳ１０４において、背景画像データ２０がサブメニューの表示画面の背景画像として所定の条件に適合しない場合、制御部１０は、サブメニューの表示画面の背景画像として登録を不可とする（ステップＳ１０５）。
【００５９】
一方、ステップＳ１０４において、背景画像データ２０がサブメニューの表示画面の背景画像としての所定の条件に適合する場合、制御部１０は、サブメニューの表示画面の背景画像として登録を可能とする（ステップＳ１０６）。
【００６０】
そして、ユーザによる指示入力に応じて、背景画像データ２０がサブメニューの表示画面の背景画像として決定されるとき、画像分割部２４は、画面構成情報に基づいて、背景画像データ２０を部分画像２２．１〜２２．３に分割する（ステップＳ１０７）。
【００６１】
つづいて、登録処理部１８は、部分画像データ２２．１〜２２．３を登録用メモリ８に保存する（ステップＳ１０８）。
【００６２】
このとき、登録処理部１８は、部分画像データ２２．１〜２２．３を登録用メモリ８の記憶領域上の所定のアドレスに割り当てられた部分画像格納領域３２．１〜３２．３にそれぞれ格納する。
【００６３】
図５は、部分画像データ２２．１〜２２．３に基づいて、サブメニューが表示されるときの動作のフローチャートである。
【００６４】
図５を参照して、サブメニューの表示が行なわれるとき、表示処理部１６は、画面構成情報に含まれ、表示されるサブメニューの種類に対応するメニューリストと行数とを参照する（ステップＳ２０１）。
【００６５】
そして、表示処理部１６は、参照されたメニューリストと行数とに基づいて、登録用メモリ８に格納された部分画像データ２２．１〜２２．３の再構成を行なう（ステップＳ２０２）。
【００６６】
つづいて、表示処理部１６は、再構成されたサブメニュー表示画面を表示部１４により表示させる（ステップＳ２０３）。
【００６７】
図６は、通信部４を介して、ユーザが特定の画像をダウンロードするときの操作に応じて遷移する表示画面を例にとって説明するための図である。
【００６８】
図６（ａ）を参照して、ユーザは、インターネット等を介して、特定の画像の保存の操作を行なうことができる。ユーザが特定の画像を選択して、画像保存メニューを起動させたときに、「マイピクチャの保存」を選択する。
【００６９】
そして、図６（ｂ）を参照して、ユーザが「マイピクチャの保存」を選択し決定することに応じて、制御部１０は、通信部４を介して、ユーザが選択した特定の画像をダウンロードして、フラッシュメモリ６のユーザデータ領域に格納する。
【００７０】
そして、図６（ｃ）を参照して、特定の画像のフラッシュメモリ６への保存の終了に応じて、制御部１０は、表示画面に「ダウンロードに保存しました」というメッセージを表示させる。
【００７１】
次に、図７は、サブメニューの表示画面の背景画像を変更するときの操作に応じて、遷移する表示画面を例にとって説明するための図である。
【００７２】
図７（ａ）を参照して、まず、ユーザは、画像データが保存される領域から、サブメニューの表示画面として登録するために特定の画像を選択する。そして、ユーザの選択に応じて、画面設定メニューが起動するときに、制御部１０は、選択された特定の画像がサブメニューの表示画面の背景画像として、データ形式および画像サイズの所定の条件に適合するか否かをチェックする。そして、チェック結果に応じて、制御部１０は、ユーザに対して、サブメニューの表示画面として選択の可否を通知する。
【００７３】
ユーザへの選択の可否の通知とは、たとえば、チェックした結果、選択される特定の画像がデータ形式および画像サイズのうち、いずれか一方がサブメニューの表示画面の背景画像として所定の条件に適合しない場合、制御部１０は、画面設定メニューのサブメニューウィンドウの項目の文字列の配色をグレーとして、選択不可にする。
【００７４】
一方、チェックした結果、選択される特定の画像がデータ形式および画像サイズがサブメニューの表示画面の背景画像として所定の条件に適合する場合、制御部１０は、画面設定メニューのサブメニューウィンドウの項目の文字列の配色を黒として、選択可能とする。
【００７５】
そして、図７（ｂ）を参照して、画面設定メニューにおいて、ユーザによりサブメニューウィンドウの項目が選択されることに応じて、制御部１０は、「画像展開中」と表示部１４により表示させる。このとき、画像分割部２４は、フラッシュメモリ６から特定の画像を読み出す。そして、画面構成情報に基づいて、特定の画像を複数の部分画像データに分割する。そして、登録処理部１８は、複数の部分画像データを登録用メモリ８に格納する。
【００７６】
このとき、図７（ｃ）を参照して、制御部１０は、「設定しました」と、登録の完了を通知する旨を表示部１４に表示させる。以後、サブメニューの表示を行なうときに、表示処理部１６は、登録用メモリ８から、複数の部分画像データを画面構成情報に基づいて、再構成を行なった後に、再構成されたサブメニューの表示画面を表示部１４により表示させる。
【００７７】
以上のように説明したとおり、１ファイルのデータである背景画像データ２０から、表示画面を構成する複数の部分画像（たとえば、サブメニュー表示画面において部分画像データ２２．１〜２２．３）として分割することにより、一つずつ個別にダウンロードしてくる場合と比較して、１ファイルの画像データを分割することで複数の部分画像データが相互に関連づいているため、制御部１０においてダウンロードしたデータの関連づけ等の処理が軽減できる。
【００７８】
また、部分画像データ２２．２を行数に応じて、繰り返し使用してサブメニューの表示画面を再構成することにより、ダウンロードする画像（ダウンロード量）を小さくすることができる。そのため、通信料も低く抑えることができる。
【００７９】
そして、登録用メモリ８に複数の部分画像データ２２．１〜２２．３を登録し、表示されるメニューの種類に応じて、部分画像データ２２．２を繰り返し使用して、サブメニューの表示画面を再構成することにより、メモリの使用量が軽減される。
【００８０】
このように、１ファイルのデータとしてまとめられた画像データを保存（ダウンロード）し、画像データを繰り返し使用する部分と、ヘッダ部分と、フッタ部分とに分割して保存する。そして画像を表示する際は、繰り返し表示できる部分を共通化する。共通化することによりデータの容量の減少が図れる。
【００８１】
また、サブメニューの表示画面の背景画像は、通信部４を介してのダウンロードにより取得されることに特に限定されない。たとえば、脱着可能なメモリカード２にサブメニューの表示画面の背景画像として、登録可能な所定の画像サイズのＧＩＦ形式の画像データを格納しておいてもよい。すなわち、制御部１０は、メモリカード読み出し／書き込み部２６により脱着可能なメモリカード２に格納された少なくとも一つの背景画像データを読み出させて、サブメニューの表示画面の背景画像として登録処理を行なうことができる。
【００８２】
以上の説明では、フラッシュメモリ６に１ファイルのデータである背景画像データ２０が格納されており、背景画像データ２０を部分画像データ２２．１〜２２．ｎに分割した上で、登録用メモリ８に登録する構成として説明したが、登録処理部１８は、登録用メモリ８だけでなくフラッシュメモリ６にも背景画像データ２０に置き換えて、分割した後の部分画像データ２２．１〜２２．ｎを格納しておく構成にしてもよい。すなわち、電源の遮断に応じて、登録用メモリ８に格納されるデータが消去されたときに、フラッシュメモリ６に格納される部分画像データ２２．１〜２２．ｎを登録用メモリ８に再登録することが可能となる。
【００８３】
また、登録処理部１８は、背景画像データ２０を分割せずに登録用メモリ８に登録し、表示するために再構成する際に、画像分割部２４により、背景画像データ２０を部分画像データ２２．１〜２２．ｎに分割する構成としてもよい。
【００８４】
［実施の形態２］
次に、本発明の携帯電話機の構成において、実施の形態２として、アラートウィンドウの表示画面を構成する画像の変更を例にとって説明する。本発明の実施の形態２における携帯電話機の基本構成は、制御部１０が行なう動作のソフトウェア構成を除いて、図１に示した実施の形態１における携帯電話機１００の基本構成と同じである。そのため構成の説明は繰り返さない。
【００８５】
［アラートウィンドウの表示画面の変更］
次に、本発明の実施の形態１で説明した携帯電話機１００の構成において、実施の形態２として、ユーザによる選択に応じて、通信部４を介してダウンロードされた背景画像データ２０に基づいて、アラートウィンドウの表示画面の背景画像の変更を例にとって説明する。
【００８６】
ここで、アラートウィンドウは、イベント発生時に携帯電話機１００がユーザに何らかの通知を行なうために表示される。このとき、アラートウィンドウには、文字列の他に、たとえば、４コマで動くアニメーションや「はい」、「いいえ」、「中止」、「確認」等のボタンが表示される。
【００８７】
図８は、背景画像データ２０を複数の部分画像データ２２．１〜２２．７に分割して、表示画面を再構成するときの概念図である。
【００８８】
図８（ａ）は、再構成されたアラートウィンドウ表示画面３６を示す図である。一方、図８（ｂ）は、ダウンロードされた背景画像データ２０を示す図である。
【００８９】
まず、図８（ｂ）を参照して、フラッシュメモリ６に保存される背景画像データ２０は、画面構成情報に基づいて、画像分割部２４により、タイトルを表示する上段の領域に対応する部分画像データ２２．１と、規則的に使用される中段の領域に対応する部分画像データ２２．２と、アラートウィンドウの下段の領域にに対応する部分画像データ２２．３と、４コマのアニメーション画像に対応する部分画像データ２２．４〜２２．７とに分割される。ここで、アラートウィンドウの表示画面の背景画像として使用される背景画像データ２０のデータの形式および画像のサイズは、特に限定されるものではないが、本発明の実施の形態２において、データ形式は、ＧＩＦ形式で、サイズは、２０１ｄｏｔ×１８２ｄｏｔが望ましい。
【００９０】
ユーザの選択に基づいて、通信部４を介して、ダウンロードされた背景画像データ２０は、フラッシュメモリ６に含まれるユーザデータ領域に保存される。
【００９１】
そして、制御部１０は、画面構成情報に含まれる仕様情報に基づいて、背景画像データ２０がＧＩＦ形式の画像データで、かつ、画像サイズが２０１ｄｏｔ×１８２ｄｏｔである場合に、アラートウィンドウの表示画面の背景画像として、ユーザによる登録処理のための選択を可能とする。なお、アラートウィンドウが表示されるときのボタン等の画像は、少なくともフラッシュメモリ６に予め格納されているが、登録用メモリ８にも格納してもよい。
【００９２】
ユーザによりアラートウィンドウの表示画面の背景画像としての登録処理のための選択に応じて、画像分割部２４は、画面構成情報に基づいて、背景画像データ２０を分割する。画面構成情報は、背景画像データ２０を所定の仕様で分割するための分割情報を含む。分割情報は、特に限定されるものではないが、たとえば、背景画像データ２０を２０１ｄｏｔ×３０ｄｏｔの部分画像データ２２．１と、２０１ｄｏｔ×２１ｄｏｔの部分画像データ２２．２と、２０１ｄｏｔ×１１ｄｏｔの部分画像データ２２．３と、１コマの画像サイズが９０ｄｏｔ×６０ｄｏｔの２行２列の４コマのアニメーション画像に対応する部分画像データ２２．４〜２２．７とに分割するための情報を含む。
【００９３】
そして、登録処理部１８は、分割した部分画像データ２２．１〜２２．７をそれぞれ部分画像格納領域３２．１〜３２．７に展開する。
【００９４】
４コマのアニメーション画像に対応する部分画像データ２２．４〜２２．７と、アラートウィンドウに表示されている文字列の背景を構成する部分画像データ２２．１〜２２．３とは、ぞれぞれに所定のアドレスが割り当てられている。
【００９５】
すなわち、部分画像格納領域３２．１〜３２．７には、それぞれ、登録用メモリ８の記憶領域上の所定のアドレスが割り当てられている。そのため、表示処理部１６は、特定のアドレスを参照することにより、部分画像データ２２．１〜２２．７のうちのいずれかを読み出すことが可能となる。
【００９６】
背景画像データ２０がアラートウィンドウの表示画面の背景画像として、登録されると、すなわち、登録用メモリ８に部分画像データ２２．１〜２２．７が格納されると、アラートウィンドウが表示されるときに、表示処理部１６は、画面構成情報を参照する。このとき、画面構成情報は、表示される文字列および文字列に対応づけられた行数、ボタンの有無等の表示構成情報を含む。そして、表示処理部１６は、参照した文字列と行数に基づいて、登録された部分画像データ２２．１〜２２．７を再構成して、表示部１４により表示させる。
【００９７】
表示処理部１６がアラートウィンドウの表示画面の再構成を行なう動作は、以下の通りである。
【００９８】
まず、アラートウィンドウが表示されるときに、表示処理部１６は、画面構成情報に含まれる表示されるアラートウィンドウに対応する文字列と行数とボタンの有無等の表示構成情報を参照する。そして、参照された文字列と行数とに応じて、アラートウィンドウの表示画面を構成する画像を再構成する。
【００９９】
ここで、文字列と行数とは、アラートウィンドウの表示画面の種類に応じて、対応付けられている。
【０１００】
表示するアラートウィンドウの行数がｉ行である場合、表示処理部１６は、部分画像データ２２．１と部分画像データ２２．３との間に、ｉ個の部分画像データ２２．２を繰り返し使用して再構成を行なう。
【０１０１】
図８（ａ）を再び参照して、行数ｉが、たとえば、９行である場合、表示処理部１６は、部分画像データ２２．１と部分画像データ２２．３との間に、９つの部分画像データ２２．２を繰り返し使用する。そして、表示処理部１６は、９つの部分画像データ２２．２のそれぞれに対応する領域に文字列と、アラートウィンドウの表示画面上の所定の位置に部分画像データ２２．４〜２２．７に基づいて生成されたアニメーション動画３８と、ボタン等の画像とを表示させてアラートウィンドウ表示画面３６を再構成する。
【０１０２】
図９は、背景画像データ２０をアラートウィンドウの表示画面の背景画像として登録するときの動作のフローチャートである。
【０１０３】
図９を参照して、まず、制御部１０は、ユーザの選択に応じて、通信部４を介して、背景画像データ２０をダウンロードする（ステップＳ３０１）。
【０１０４】
つづいて、制御部１０は、フラッシュメモリ６のユーザデータ領域にダウンロードした背景画像データ２０を保存する（ステップＳ３０２）。
【０１０５】
そして、ユーザの指示入力部１２への操作に応じて、背景画像データ２０が選択されると、制御部１０は、選択された背景画像データ２０のデータ形式と画像サイズをチェックする（ステップＳ３０３）。
【０１０６】
このとき、制御部１０は、データ形式と画像サイズ等の仕様情報に基づいて、背景画像データ２０がアラートウィンドウの表示画面の背景画像として所定の条件に適合するか否かの判断を行なう（ステップＳ３０４）。
【０１０７】
ここで、「所定の条件」とは、データ形式がＧＩＦ形式で、かつ、画像サイズが２０１ｄｏｔ×１８２ｄｏｔである。
【０１０８】
ステップＳ３０４において、背景画像データ２０がアラートウィンドウの表示画面の背景画像として所定の条件に適合しない場合、制御部１０は、アラートウィンドウの表示画面の背景画像として登録を不可とする（ステップＳ３０５）。
【０１０９】
一方、ステップＳ３０４において、背景画像データ２０がアラートウィンドウの表示画面の背景画像として所定の条件に適合する場合、制御部１０は、アラートウィンドウの表示画面の背景画像として登録を可能とする（ステップＳ３０６）。
【０１１０】
そして、ユーザによる指示入力に応じて、背景画像データ２０がアラートウィンドウの表示画面の背景画像として決定されるとき、画像分割部２４は、画面構成情報に基づいて、背景画像データ２０を部分画像データ２２．１〜２２．７に分割する（ステップＳ３０７）。
【０１１１】
つづいて、登録処理部１８は、部分画像データ２２．１〜２２．７を登録用メモリ８に格納する（ステップＳ３０８）。
【０１１２】
このとき、登録処理部１８は、部分画像データ２２．１〜２２．７を登録用メモリ８の記憶領域上の所定のアドレスに割り当てられた部分画像格納領域３２．１〜３２．７にそれぞれ格納する。
【０１１３】
図１０は、部分画像データ２２．１〜２２．７に基づいて、アラートウィンドウが表示されるときの動作のフローチャートである。
【０１１４】
図１０を参照して、アラートウィンドウの表示が行なわれるとき、表示処理部１６は、画面構成情報に含まれ、表示されるアラートウィンドウの種類に対応する文字列と行数とボタンの有無とを参照する（ステップＳ４０１）。
【０１１５】
そして、表示処理部１６は、参照された文字列と行数とボタンの有無に基づいて、登録用メモリ８に格納された部分画像データ２２．１〜２２．７の再構成を行なう（ステップＳ４０２）。
【０１１６】
このとき、表示処理部１６は、部分画像格納領域３２．４〜３２．７のそれぞれから４コマのアニメーション画像に対応する部分画像データ２２．４〜２２．７を読み出す。アラートウィンドウ上の所定の位置でアニメーション動画３８の再生が行なわれる。そして、ボタン有りの場合、表示処理部１６は、ボタン画像４０をアラートウィンドウ上の所定の位置に表示させる。
【０１１７】
つづいて、表示処理部１６は、再構成されたアラートウィンドウの表示画面を表示部１４により表示させる（ステップＳ４０３）。
【０１１８】
図１１は、アラートウィンドウの表示画面の背景画像を変更するときの操作に応じて、遷移する表示画面を例にとって説明するための図であり、実施の形態１の図７と対比される図である。図１１（ａ）において、選択対象がサブメニューウィンドウであったものがアラートウィンドウとなっていることを除いては、以下、表示としては同じであるため、その説明は繰り返さない。登録処理が終わると、それ以後は、アラートウィンドウの表示を行なうときに、表示処理部１６は、登録用メモリ８から、複数の部分画像データを画面構成情報に基づいて、再構成を行なった後に、再構成されたアラートウィンドウの表示画面を表示部１４により表示させる。
【０１１９】
以上のように説明したとおり、１ファイルのデータである背景画像データ２０から、表示画面を構成する複数の部分画像（たとえば、アラートウィンドウの表示画面において部分画像データ２２．１〜２２．７）として分割することにより、複数の部分画像を一つずつ個別にダウンロードしてくる場合と比較して、１ファイルの画像データを分割することで複数の部分画像データが相互に関連づいているため、制御部１０においてダウンロードしたデータの関連づけ等の処理が軽減できる。
【０１２０】
すなわち、たとえば、４コマ分のアニメーション画像を一つの画像としてダウンロードしてくることで、互いに関連するものとして関連づけを行なうことができる。すなわち、画像上の４コマのアニメーション画像のそれぞれの位置に応じて、コマ順を決めることができる。そのため、個別にダウンロードしてくる場合と比較して、コマ順等の関連づけの処理が不要となる。
【０１２１】
あるいは、アニメＧＩＦファイルと背景画像をそれぞれ個別にダウンロードすることと比較する場合、アニメＧＩＦと背景画像との関連付けの処理が不要となる。
【０１２２】
また、部分画像データ２２．２を行数に応じて、繰り返し使用してアラートウィンドウの表示画面を再構成することにより、ダウンロードする画像（ダウンロード量）を小さくすることができる。そのため、通信料も低く抑えることができる。
【０１２３】
そして、登録用メモリ８に部分画像データ２２．１〜２２．３を登録し、表示されるアラートウィンドウの種類に応じて、部分画像データ２２．２を繰り返し使用して、アラートウィンドウの表示画面を再構成することにより、メモリの使用量が軽減される。
【０１２４】
このように、１ファイルのデータとしてまとめられた画像データを保存（ダウンロード）し、画像データを繰り返し使用する部分と、ヘッダ部分と、フッタ部分とに分割して保存する。そして画像を表示する際は、繰り返し表示できる部分を共通化する。共通化することによりデータの容量の減少が図れる。
【０１２５】
また、アラートウィンドウの表示画面の背景画像は、通信部４を介してのダウンロードにより取得されることに特に限定されない。たとえば、脱着可能なメモリカード２にアラートウィンドウの表示画面の背景画像として、登録可能な所定の画像サイズのＧＩＦ形式の画像データを格納しておいてもよい。すなわち、制御部１０は、メモリカード読み出し／書き込み部２６により脱着可能なメモリカード２に格納された少なくとも一つの背景画像データを読み出させて、アラートウィンドウの表示画面の背景画像として登録処理を行なうことができる。
【０１２６】
以上の説明では、フラッシュメモリ６に１ファイルのデータである背景画像データ２０が格納されており、背景画像データ２０を部分画像データ２２．１〜２２．ｎに分割した上で、登録用メモリ８に登録する構成として説明したが、登録処理部１８は、登録用メモリ８だけでなくフラッシュメモリ６にも背景画像データ２０に置き換えて、分割した後の部分画像データ２２．１〜２２．ｎを格納しておく構成にしてもよい。すなわち、電源の遮断に応じて、登録用メモリ８に格納されるデータが消去されたときに、フラッシュメモリ６に格納される部分画像データ２２．１〜２２．ｎを登録用メモリ８に再登録することが可能となる。
【０１２７】
また、登録処理部１８は、背景画像データ２０を分割せずに登録用メモリ８に登録し、表示するために再構成する際に、画像分割部２４により、背景画像データ２０を部分画像データ２２．１〜２２．ｎに分割する構成としてもよい。
【０１２８】
［実施の形態３］
次に、本発明の携帯電話機の構成において、実施の形態３として、背景枠を構成する背景画像の変更を例にとって説明する。本発明の実施の形態３における携帯電話機の基本構成は、制御部１０が行なう動作のソフトウェア構成を除いて、図１に示した実施の形態１における携帯電話機１００の基本構成と同じである。そのため構成の説明は繰り返さない。
【０１２９】
［背景枠を構成する背景画像の変更］
次に、本発明の実施の形態１で説明した携帯電話機１００の構成において、実施の形態２として、ユーザによる選択に応じて、通信部４を介してダウンロードされた背景画像データ２０に基づいて、背景枠を構成する背景画像の変更を例にとって説明する。
【０１３０】
ここで、背景枠は、携帯電話機１００において、受信強度を示すアンテナマーク等の表示がされるピクト領域等、中央のユーザ作業領域周辺部の背景パターンの表示画像を示す。
【０１３１】
図１２は、背景画像データ２０を複数の部分画像データ２２．１〜２２．４に分割して、背景枠を再構成するときの概念図である。
【０１３２】
図１２を参照して、フラッシュメモリ６に保存される背景画像データ２０は、画面構成情報に基づいて、画像分割部２４により、背景枠の上段に対応する部分画像データ２２．１と、背景枠の左側の領域に対応する部分画像データ２２．２と、背景枠の右側の領域に対応する部分画像データ２２．３と、背景枠の下段に対応し、ガイド領域を含む部分画像データ２２．４とに分割される。ここで、背景枠を構成する背景画像として使用される背景画像データ２０のデータの形式および画像サイズは、特に限定されるものではないが、本発明の実施の形態３において、データ形式は、ＧＩＦ形式、または、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式で、サイズは、２４０ｄｏｔ×３２０ｄｏｔが望ましい。また、空白領域４２は、たとえば、図示しないカメラが携帯電話機１００に搭載されている場合は、カメラにより撮影された映像を提示するなど、ユーザの選択した他の画像に適宜置き換えられる領域である。
【０１３３】
ユーザの選択に基づいて、通信部４を介して、ダウンロードされた背景画像データ２０は、フラッシュメモリ６に含まれるユーザデータ領域に保存される。
【０１３４】
そして、制御部１０は、画面構成情報に含まれる仕様情報に基づいて、背景画像データ２０がＧＩＦ形式、または、ＪＰＥＧ形式の画像データで、かつ、画像サイズが２４０ｄｏｔ×３２０ｄｏｔである場合に、背景枠を構成する背景画像として、ユーザによる登録処理のための選択を可能とする。
【０１３５】
ユーザにより背景枠を構成する背景画像としての登録処理のための選択に応じて、画像分割部２４は、画面構成情報に基づいて、背景画像データ２０を複数の部分画像データ２２．１〜２２．ｎに分割する。画面構成情報は、背景画像データ２０を所定の仕様で分割するための分割情報を含む。分割情報は、特に限定されるものではないが、たとえば、背景画像データ２０を２４０ｄｏｔ×５９ｄｏｔの部分画像データ２２．１と、１０ｄｏｔ×２３１ｄｏｔの部分画像データ２２．２と、１０ｄｏｔ×２３１ｄｏｔの部分画像データ２２．３と、２４０ｄｏｔ×３０ｄｏｔの部分画像データ２２．４とに分割するための情報を含む。
【０１３６】
そして、登録処理部１８は、分割した部分画像データ２２．１〜２２．４をそれぞれ部分画像格納領域３２．１〜３２．４に展開する。ただし、空白領域４２は、登録用メモリ８には格納されない。
【０１３７】
部分画像格納領域３２．１〜３２．４には、それぞれ、登録用メモリ８の記憶領域上に所定のアドレスが割り当てられている。そのため、表示処理部１６は、特定のアドレスを参照することにより、部分画像データ２２．１〜２２．４をのうちのいずれかを読み出すことが可能となる。
【０１３８】
背景画像データ２０が背景枠を構成する背景画像として登録されると、すなわち、登録用メモリ８に部分画像データ２２．１〜２２．４が格納されると、背景枠が表示されるときに、表示処理部１６は、画面構成情報を参照する。このとき、画面構成情報は、背景枠に対して部分画像データ２２．１〜２２．４のそれぞれの位置等の表示構成情報を含む。そして、表示処理部１６は、参照したそれぞれの位置に対応するように、登録された部分画像データ２２．１〜２２．４を再構成して、表示部１４により表示させる。
【０１３９】
表示処理部１６が背景枠の再構成を行なう動作は、以下の通りである。
まず、表示処理部１６は、画面構成情報に基づいて、登録用メモリ８に格納された部分画像データ２２．１〜２２．４を背景枠に再構成する。そして、表示処理部１６は、再構成された背景枠を表示部１４により表示させる。
【０１４０】
図１３は、背景画像データ２０を、背景枠を構成する背景画像として登録するときの動作のフローチャートである。
【０１４１】
図１３を参照して、まず、制御部１０は、ユーザによる選択に応じて、通信部４を介して、背景画像データ２０をダウンロードする（ステップＳ５０１）。
【０１４２】
つづいて、制御部１０は、フラッシュメモリ６のユーザデータ領域にダウンロードした背景画像データ２０を保存する（ステップＳ５０２）。
【０１４３】
そして、ユーザの指示入力部１２への操作に応じて、背景画像データ２０が選択されると、制御部１０は、選択された背景画像データ２０のデータ形式と画像サイズをチェックする（ステップＳ５０３）。
【０１４４】
このとき、制御部１０は、データ形式と画像サイズに基づいて、背景画像データ２０が背景枠を構成する背景画像として所定の条件に適合するか否かの判断を行なう（ステップＳ５０４）。
【０１４５】
ここで、「所定の条件」とは、データ形式がＧＩＦ形式または、ＪＰＥＧ形式で、画像サイズが２４０ｄｏｔ×３２０ｄｏｔである。
【０１４６】
ステップＳ５０４において、背景画像データ２０が背景枠を構成する背景画像として所定の条件に適合しない場合、制御部１０は、背景枠を構成する背景画像として登録を不可とする（ステップＳ５０５）。
【０１４７】
一方、ステップＳ５０４において、背景画像データ２０が背景枠を構成する背景画像として所定の条件に適合する場合、制御部１０は、背景枠を構成する背景画像として登録を可能とする（ステップＳ５０６）。
【０１４８】
そして、ユーザによる指示入力に応じて、背景画像データ２０が背景枠を構成する背景画像として決定されるとき、画像分割部２４は、画面構成情報に基づいて、背景画像データ２０を部分画像データ２２．１〜２２．４に分割する（ステップＳ５０７）。
【０１４９】
つづいて、登録処理部１８は、部分画像データ２２．１〜２２．４を登録用メモリ８に保存する（ステップＳ５０８）。
【０１５０】
このとき、登録処理部１８は、部分画像データ２２．１〜２２．４を登録用メモリ８の記憶領域上の所定のアドレスに割り当てられた部分画像格納領域３２．１〜３２．４にそれぞれ保存する。
【０１５１】
図１４は、部分画像データ２２．１〜２２．４に基づいて、背景枠が表示されるときの動作のフローチャートである。
【０１５２】
図１４を参照して、背景画像データ２０が部分画像データ２２．１〜２２．４に分割され、登録用メモリ８に登録されると、表示処理部１６は、画面構成情報に基づいて、登録用メモリ８に格納された部分画像データ２２．１から２２．４の再構成を行なう（ステップＳ６０１）。
【０１５３】
そして、表示処理部１６は、再構成された背景枠を構成する背景画像を表示部１４により表示させる（ステップＳ６０２）。
【０１５４】
図１５は、背景枠を構成する背景画像を変更するときの操作に応じて、遷移する表示画面を例にとって説明するための図であり、実施の形態１の図７と対比される図である。図１５（ａ）において、選択対象がサブメニューウィンドウであったものが背景パターンとなっていることを除いては、以下、表示としては同じであるため、その説明は繰り返さない。
【０１５５】
以上のように説明したとおり、１ファイルのデータである背景画像データ２０から、表示画面を構成する複数の部分画像（たとえば、背景枠を構成する背景画像において、部分画像データ２２．１〜２２．４）として分割することにより、一つずつ個別にダウンロードしてくる場合と比較して、１ファイルの画像データを分割することで複数の部分画像データが相互に関連づいているため、制御部１０においてダウンロードしたデータの関連づけ等の処理が軽減できる。
【０１５６】
そして、登録用メモリ８に部分画像データ２２．１〜２２．４を登録し、背景枠を再構成することにより、背景枠により囲われる使用しない画像データ分のメモリの使用量が軽減される。
【０１５７】
また、背景枠を構成する背景画像は、通信部４を介してのダウンロードにより取得されることに特に限定されない。たとえば、脱着可能なメモリカード２に背景枠を構成する背景画像として、登録可能な所定の画像サイズのＧＩＦ形式あるいは、ＪＰＥＧ形式の画像データを格納しておいてもよい。すなわち、制御部１０は、メモリカード読み出し／書き込み部２６により脱着可能なメモリカード２に格納された少なくとも一つの背景画像データを読み出させて、背景枠を構成する背景画像として登録処理を行なうことができる。
【０１５８】
以上の説明では、フラッシュメモリ６に１ファイルのデータである背景画像データ２０が格納されており、背景画像データ２０を部分画像データ２２．１〜２２．ｎに分割した上で、登録用メモリ８に登録する構成として説明したが、登録処理部１８は、登録用メモリ８だけでなくフラッシュメモリ６にも背景画像データ２０に置き換えて、分割した後の部分画像データ２２．１〜２２．ｎを格納しておく構成にしてもよい。すなわち、電源の遮断に応じて、登録用メモリ８に格納されるデータが消去されたときに、フラッシュメモリ６に格納される部分画像データ２２．１〜２２．ｎを登録用メモリ８に再登録することが可能となる。
【０１５９】
このように、背景画像データを複数の部分画像データに分割し、複数の部分画像データのうち少なくとも一つを複数回使用することにより、メモリの使用量を軽減することが可能となる。
【０１６０】
または、背景画像データの一部を抽出して、複数の部分像データに分割して、背景枠として、再構成することにより、背景枠として使用されない領域に対して、メモリが使用されることがないため、メモリの使用量を軽減することが可能となる。
【０１６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１６２】
【発明の効果】
画面構成情報に基づいて、背景画像データを分割した複数の部分画像データのうちの少なくとも一つを複数回使用して、背景画面を再構成することにより、メモリの使用量を軽減することが可能となる。
【０１６３】
または、背景画像データの一部を抽出して、分割した複数の部分画像データと画面構成情報とに基づいて背景枠画像を再構成することにより、メモリの使用量を軽減することが可能となる。
【図面の簡単な説明】
【図１】本発明の実施の形態１における携帯電話機１００の機能ブロック図である。
【図２】表示画面の背景画像に対応する複数の部分画像データ２２．１〜２２．ｎを含む登録用メモリ８の記憶領域を模式的に示した図である。
【図３】背景画像データ２０を複数の部分画像データ２２．１〜２２．３に分割して、サブメニューの表示画面を再構成するときの概念図である。
【図４】背景画像データ２０をサブメニューの表示画面の背景画像として登録するときの動作のフローチャートである。
【図５】部分画像データ２２．１〜２２．３に基づいて、サブメニューが表示されるときの動作のフローチャートである。
【図６】通信部４を介して、ユーザが特定の画像をダウンロードするときの操作に応じて遷移する表示画面を例にとって説明するための図である。
【図７】サブメニューの表示画面の背景画像を変更するときの操作に応じて、遷移する表示画面を例にとって説明するための図である。
【図８】背景画像データ２０を複数の部分画像データ２２．１〜２２．７に分割して、表示画面を再構成するときの概念図である。
【図９】背景画像データ２０をアラートウィンドウの表示画面の背景画像として登録するときの動作のフローチャートである。
【図１０】部分画像データ２２．１〜２２．７に基づいて、アラートウィンドウが表示されるときの動作のフローチャートである。
【図１１】アラートウィンドウの表示画面の背景画像を変更するときの操作に応じて、遷移する表示画面を例にとって説明するための図である。
【図１２】背景画像データ２０を複数の部分画像データ２２．１〜２２．４に分割して、背景枠を再構成するときの概念図である。
【図１３】背景画像データ２０を、背景枠を構成する背景画像として登録するときの動作のフローチャートである。
【図１４】部分画像データ２２．１〜２２．４に基づいて、背景枠が表示されるときの動作のフローチャートである。
【図１５】背景枠を構成する背景画像を変更するときの操作に応じて、遷移する表示画面を例にとって説明するための図である。
【符号の説明】
２  メモリカード、４  通信部、６  フラッシュメモリ、８  登録用メモリ、１０  制御部、１２  指示入力部、１４  表示部、１６  表示処理部、１８  登録処理部、２０  背景画像データ、２２．１〜２２．ｎ  部分画像データ、２４画像分割部、２６  メモリカード読み出し／書き込み部、２８  音声信号処理部、２８ａ  マイク、２８ｂ  スピーカ、３０  背景画像格納領域、３２．１〜３２．ｎ  部分画像格納領域、３４  サブメニュー表示画面、３６  アラートウィンドウ表示画面、３８  アニメーション動画、４０  ボタン画像、４２  空白領域、１００  携帯電話機。
【図１】
2004357183.tif 000003
【図２】
2004357183.tif 000004
【図３】
2004357183.tif 000005
【図４】
2004357183.tif 000006
【図５】
2004357183.tif 000007
【図６】
2004357183.tif 000008
【図７】
2004357183.tif 000009
【図８】
2004357183.tif 000010
【図９】
2004357183.tif 000011
【図１０】
2004357183.tif 000012
【図１１】
2004357183.tif 000013
【図１２】
2004357183.tif 000014
【図１３】
2004357183.tif 000015
【図１４】
2004357183.tif 000016
【図１５】
2004357183.tif 000017